【手続補正書】
【提出日】平成16年1月19日(2004.1.19)
【手続補正１】
【補正対象書類名】明細書
【補正対象項目名】特許請求の範囲
【補正方法】変更
【補正の内容】
【特許請求の範囲】
【請求項１】
複数の走査線と、
複数のデータ線と、
前記走査線と前記データ線との交差に対応して設けられてなるスイッチング素子と、
前記画素電極を一端とし、対向電極を他端とする電気光学容量であって、前記画素電極と前記対向電極とに印加される電圧実効値に応じて濃度が変化する電気光学容量と、
前記走査線の１本を選択して、前記スイッチング素子をオンさせる走査信号を供給する走査線駆動回路と、
前記走査線の１本が選択された期間に、前記データ線を複数本毎にまとめたブロックを順次選択するとともに、選択したブロックに属するデータ線に、画像信号を供給するデータ線駆動回路と、
ある１つのブロックに属するデータ線のうち、当該ブロックの次に選択されるブロックに隣接する第１のデータ線に位置する電気光学容量の少なくても一部を中間濃度とし、
次に選択されるブロックに属するデータ線のうち、前記第１のデータ線に隣接する第２のデータ線に位置する電気光学容量の少なくても一部を特定の濃度とし、
前記第２のデータ線に位置する電気光学容量の残余若しくはその一部、又は、前記第１、第２のデータ線とは異なる第３のデータ線に位置する電気光学容量の少なくとも一部を、前記中間濃度としたパターンの画像信号を供給するパターン発生回路と、
前記第１のデータ線に位置する電気光学容量のうち前記中間濃度とした電気光学容量の濃度を、前記第２または前記第３のデータ線に位置する電気光学容量のうち、前記中間濃度とした電気光学容量の濃度となるように修正するのに要する量を補正量として記憶する記憶手段と、
を具備することを特徴とする電気光学装置。
【請求項２】
前記パターン発生回路による画像信号、または、外部からの画像信号のいずれか一方を選択するとともに、前記パターン発生回路による画像信号を選択する場合には、選択した画像信号を前記データ線駆動回路に供給するセレクタと、
前記セレクタによって、外部からの画像信号が選択される場合であって、ある１つのブロックが選択されるとき、当該画像信号のうち、当該ブロックの次に選択されるべきブロックに属する第２のデータ線への画像信号が、前記特定の濃度に相当すれば、外部からの画像信号のうち、選択されるブロックに属する第１のデータ線に対応する画像信号に、前記補正量を加算して、前記データ線駆動回路への画像信号として出力する加算器と
をさらに具備することを特徴とする請求項１に記載の電気光学装置。
【請求項３】
複数の走査線と、複数のデータ線と、
前記走査線と前記データ線との交差に対応して設けられてなるスイッチング素子と、
前記画素電極を一端とし、対向電極を他端とする電気光学容量であって、前記画素電極と前記対向電極とに印加される電圧実効値に応じて濃度が変化する電気光学容量と、
前記走査線の１本を選択して、前記スイッチング素子をオンさせる走査信号を供給する走査線駆動回路と、
前記走査線の１本が選択された期間に、前記データ線を複数本毎にまとめたブロックを順次選択するとともに、選択したブロックに属するデータ線に、画像信号を供給するデータ線駆動回路と、
前記電気光学容量を中間濃度とする画像信号、前記電気光学容量を特定の濃度とする画像信号のいずれかを選択するセレクタと、
前記セレクタによる選択を制御する制御手段であって、前記中間濃度または前記特定の濃度の画像信号を選択させる第１の場合に、
ある１つのブロックに属するデータ線のうち、当該ブロックの次に選択されるブロックに隣接する第１のデータ線に位置する電気光学容量の少なくても一部を中間濃度とし、
次に選択されるブロックに属するデータ線のうち、前記第１のデータ線に隣接する第２のデータ線に位置する電気光学容量の少なくても一部を特定の濃度とし、
前記第２のデータ線に位置する電気光学容量の残余若しくはその一部、又は、前記第１、第２のデータ線とは異なる第３のデータ線に位置する電気光学容量の少なくとも一部を、前記中間濃度とするパターンとなるように、前記セレクタを制御する制御手段と、
前記第１の場合に、前記第１のデータ線に位置する電気光学容量のうち前記中間濃度とした電気光学容量の濃度を、前記第２のデータ線に位置する電気光学容量のうち前記中間濃度とした電気光学容量の濃度まで、修正するのに要する補正量を記憶する記憶手段と、
を具備することを特徴とする電気光学装置。
【請求項４】
前記セレクタは、前記電気光学容量を中間濃度とする画像信号、前記電気光学容量を特定の濃度とする画像信号、または外部からの画像信号のいずれかを選択するセレクタであって、
前記制御手段が、前記セレクタに、外部からの画像信号を選択させる第２の場合であって、ある１つのブロックが選択されるとき、当該画像信号のうち、当該ブロックの次に選択されるべきブロックに属する第２のデータ線への画像信号が、前記特定の濃度に相当すれば、外部からの画像信号のうち、選択されるブロックに属する第１のデータ線に対応する画像信号に、前記補正量を加算して、前記データ線駆動回路への画像信号として出力する加算器と
をさらに具備することを特徴とする請求項３に記載の電気光学装置。
【請求項５】
前記パターンは、前記中間濃度の電気光学容量と前記特定の濃度の電気光学容量とを、前記走査線の延在方向および前記データ線の延在方向にわたって１個毎に交互に配列させるものである
ことを特徴とする請求項１または３に記載の電気光学装置。
【請求項６】
前記パターンは、前記中間濃度の電気光学容量と前記特定の濃度の電気光学容量とを、前記データ線の延在方向に対し２個以上の周期で交互に配列させるものである
ことを特徴とする請求項１または３に記載の電気光学装置。
【請求項７】
前記パターンは、前記中間濃度の電気光学容量と前記特定の濃度の電気光学容量とを前記データ線の延在方向に対して、それぞれ連続させて配列させたものである
ことを特徴とする請求項１または３に記載の電気光学装置。
【請求項８】
前記パターンは、前記特定の濃度の電気光学容量を、前記走査線の延在方向または前記データ線の延在方向にわたって濃度変化するように配列させたものである
ことを特徴とする請求項１または３に記載の電気光学装置。
【請求項９】
請求項１または３に記載の電気光学装置を表示部に備えることを特徴とする電子機器。
【請求項１０】
複数の走査線と、複数のデータ線と、
前記走査線と前記データ線との交差に対応して設けられてなるスイッチング素子と、
前記画素電極を一端とし、対向電極を他端とする電気光学容量であって、前記画素電極と前記対向電極とに印加される電圧実効値に応じて濃度が変化する電気光学容量と、
前記走査線の１本を選択して、前記スイッチング素子をオンさせる走査信号を供給する走査線駆動回路と、
前記走査線の１本が選択された期間に、前記データ線を複数本毎にまとめたブロックを順次選択するとともに、選択したブロックに属するデータ線に、画像信号を供給するデータ線駆動回路と、
選択されたブロックに属するデータ線のうち、次に選択されるブロックに隣接する第１のデータ線に供給すべき画像信号に、次に選択されるブロックに属し、かつ、前記第１のデータ線に隣接する第２のデータ線に供給されるべき画像信号にしたがった補正量を加算して、前記データ線駆動回路への画像信号として供給する画像信号処理回路と
を備える電気光学装置に対し、
前記第１のデータ線に位置する電気光学容量の少なくても一部を中間濃度とし、前記第２のデータ線に位置する電気光学容量の少なくても一部を特定の濃度とし、前記第２のデータ線に位置する電気光学容量の残余若しくはその一部、又は、前記第１、第２のデータ線とは異なる第３のデータ線に位置する電気光学容量の少なくとも一部を前記中間濃度としたパターンの画像信号を、前記画像信号処理回路に供給する
ことを特徴とするパターン発生回路。
【請求項１１】
前記パターンは、前記中間濃度の電気光学容量と前記特定の濃度の電気光学容量とを、前記走査線の延在方向および前記データ線の延在方向にわたって１個毎に交互に配列させるものである
ことを特徴とする請求項１０に記載のパターン発生回路。
【請求項１２】
前記パターンは、前記中間濃度の電気光学容量と前記特定の濃度の電気光学容量とを、前記データ線の延在方向に対し２個以上の周期で交互に配列させるものである
ことを特徴とする請求項１０に記載のパターン発生回路。
【請求項１３】
前記パターンは、前記中間濃度の電気光学容量と前記特定の濃度の電気光学容量とを前記データ線の延在方向に対して、それぞれ連続させて配列させたものである
ことを特徴とする請求項１０に記載のパターン発生回路。
【請求項１４】
前記パターンは、前記特定の濃度の電気光学容量を、前記走査線の延在方向または前記データ線の延在方向にわたって濃度変化するように配列させたものである
ことを特徴とする請求項１０に記載のパターン発生回路。
【手続補正２】
【補正対象書類名】明細書
【補正対象項目名】００２９
【補正方法】変更
【補正の内容】
【００２９】
【課題を解決するための手段】
上記目的を達成するために本件の第１発明に係る電気光学装置にあっては、複数の走査線と、複数のデータ線と、前記走査線と前記データ線との交差に対応して設けられてなるスイッチング素子と、前記画素電極を一端とし、対向電極を他端とする電気光学容量であって、前記画素電極と前記対向電極とに印加される電圧実効値に応じて濃度が変化する電気光学容量と、前記走査線の１本を選択して、前記スイッチング素子をオンさせる走査信号を供給する走査線駆動回路と、前記走査線の１本が選択された期間に、前記データ線を複数本毎にまとめたブロックを順次選択するとともに、選択したブロックに属するデータ線に、画像信号を供給するデータ線駆動回路と、ある１つのブロックに属するデータ線のうち、当該ブロックの次に選択されるブロックに隣接する第１のデータ線に位置する電気光学容量の少なくても一部を中間濃度とし、次に選択されるブロックに属するデータ線のうち、前記第１のデータ線に隣接する第２のデータ線に位置する電気光学容量の少なくても一部を特定の濃度とし、前記第２のデータ線に位置する電気光学容量の残余若しくはその一部、又は、前記第１、第２のデータ線とは異なる第３のデータ線に位置する電気光学容量の少なくとも一部を、前記中間濃度としたパターンの画像信号を供給するパターン発生回路と、前記第１のデータ線に位置する電気光学容量のうち前記中間濃度とした電気光学容量の濃度を、前記第２または前記第３のデータ線に位置する電気光学容量のうち、前記中間濃度とした電気光学容量の濃度となるように修正するのに要する量を補正量として記憶する記憶手段と、を具備する構成を特徴としている。


【手続補正３】
【補正対象書類名】明細書
【補正対象項目名】００３１
【補正方法】変更
【補正の内容】
【００３１】
また、上記目的を達成するために本件の第２発明に係る電気光学装置にあっては、複数の走査線と、複数のデータ線と、前記走査線と前記データ線との交差に対応して設けられてなるスイッチング素子と、前記画素電極を一端とし、対向電極を他端とする電気光学容量であって、前記画素電極と前記対向電極とに印加される電圧実効値に応じて濃度が変化する電気光学容量と、前記走査線の１本を選択して、前記スイッチング素子をオンさせる走査信号を供給する走査線駆動回路と、前記走査線の１本が選択された期間に、前記データ線を複数本毎にまとめたブロックを順次選択するとともに、選択したブロックに属するデータ線に、画像信号を供給するデータ線駆動回路と、前記電気光学容量を中間濃度とする画像信号、前記電気光学容量を特定の濃度とする画像信号のいずれかを選択するセレクタと、前記セレクタによる選択を制御する制御手段であって、前記中間濃度または前記特定の濃度の画像信号を選択させる第１の場合に、ある１つのブロックに属するデータ線のうち、当該ブロックの次に選択されるブロックに隣接する第１のデータ線に位置する電気光学容量の少なくても一部を中間濃度とし、次に選択されるブロックに属するデータ線のうち、前記第１のデータ線に隣接する第２のデータ線に位置する電気光学容量の少なくても一部を特定の濃度とし、前記第２のデータ線に位置する電気光学容量の残余若しくはその一部、又は、前記第１、第２のデータ線とは異なる第３のデータ線に位置する電気光学容量の少なくとも一部を、前記中間濃度とするパターンとなるように、前記セレクタを制御する制御手段と、前記第１の場合に、前記第１のデータ線に位置する電気光学容量のうち前記中間濃度とした電気光学容量の濃度を、前記第２のデータ線に位置する電気光学容量のうち前記中間濃度とした電気光学容量の濃度まで、修正するのに要する補正量を記憶する記憶手段と、を具備することを特徴としている。
この構成によれば、上記第１発明と同様に、ブロックの境を直ちに特定することができ、さらに、補正量を極めて容易に設定することが可能となる。


【手続補正４】
【補正対象書類名】明細書
【補正対象項目名】００３２
【補正方法】変更
【補正の内容】
【００３２】
また、上記目的を達成するために本件の第３発明に係るパターン発生回路にあっては、複数の走査線と、複数のデータ線と、前記走査線と前記データ線との交差に対応して設けられてなるスイッチング素子と、前記画素電極を一端とし、対向電極を他端とする電気光学容量であって、前記画素電極と前記対向電極とに印加される電圧実効値に応じて濃度が変化する電気光学容量と、前記走査線の１本を選択して、前記スイッチング素子をオンさせる走査信号を供給する走査線駆動回路と、前記走査線の１本が選択された期間に、前記データ線を複数本毎にまとめたブロックを順次選択するとともに、選択したブロックに属するデータ線に、画像信号を供給するデータ線駆動回路と、選択されたブロックに属するデータ線のうち、次に選択されるブロックに隣接する第１のデータ線に供給すべき画像信号に、次に選択されるブロックに属し、かつ、前記第１のデータ線に隣接する第２のデータ線に供給されるべき画像信号にしたがった補正量を加算して、前記データ線駆動回路への画像信号として供給する画像信号処理回路とを備える電気光学装置に対し、前記第１のデータ線に位置する電気光学容量の少なくても一部を中間濃度とし、前記第２のデータ線に位置する電気光学容量の少なくても一部を特定の濃度とし、前記第２のデータ線に位置する電気光学容量の残余若しくはその一部、又は、前記第１、第２のデータ線とは異なる第３のデータ線に位置する電気光学容量の少なくとも一部を前記中間濃度としたパターンの画像信号を、前記画像信号処理回路に供給する構成を特徴としている。
この構成によって、上記第１および第２発明と同様に、ブロックの境を直ちに特定することができ、さらに、補正量を極めて容易に設定することが可能となる上、構成の簡略化も図られる。


【手続補正５】
【補正対象書類名】明細書
【補正対象項目名】００３３
【補正方法】変更
【補正の内容】
【００３３】
ここで、第１発明において、前記パターン発生回路による画像信号、または、外部からの画像信号のいずれか一方を選択するとともに、前記パターン発生回路による画像信号を選択する場合には、選択した画像信号を前記データ線駆動回路に供給するセレクタと、前記セレクタによって、外部からの画像信号が選択される場合であって、ある１つのブロックが選択されるとき、当該画像信号のうち、当該ブロックの次に選択されるべきブロックに属する第２のデータ線への画像信号が、前記特定の濃度に相当すれば、外部からの画像信号のうち、選択されるブロックに属する第１のデータ線に対応する画像信号に、前記補正量を加算して、前記データ線駆動回路への画像信号として出力する加算器とをさらに具備していても良い。
またここで、第２発明において、前記セレクタは、前記電気光学容量を中間濃度とする画像信号、前記電気光学容量を特定の濃度とする画像信号、または外部からの画像信号のいずれかを選択するセレクタであって、前記制御手段が、前記セレクタに、外部からの画像信号を選択させる第２の場合であって、ある１つのブロックが選択されるとき、当該画像信号のうち、当該ブロックの次に選択されるべきブロックに属する第２のデータ線への画像信号が、前記特定の濃度に相当すれば、外部からの画像信号のうち、選択されるブロックに属する第１のデータ線に対応する画像信号に、前記補正量を加算して、前記データ線駆動回路への画像信号として出力する加算器とをさらに具備していても良い。
またここで、第１、第２および第３発明におけるパターンとしては、前記中間濃度の電気光学容量と前記特定の濃度の電気光学容量とを、前記走査線の延在方向および前記データ線の延在方向にわたって１個毎に交互に配列させるものであることが好ましい。このパターンを用いると、中間濃度と、それとはブロック選択方向で隣接する特定の濃度との間にブロックの境が位置する行配列が１／２の確率で出現するので、パターンを特定の濃度の電気光学容量に対応付ける必要がなくなる。